(57)【要約】【課題】簡易な構成で、支柱に対する相対移動部材の位置決め固定を有効に行うことができる介護用リフターのロック装置を提供する。【解決手段】介護用リフター１１の支柱１２には上下動可能な一対の把持筒１７ａ、１７ｂが設けられ、上部の把持筒１７ａにはアーム部材１９の基端部が連結され、下部の把持筒１７ｂとアーム部材１９の中間部との間には電動シリンダ２４が架設されている。前記支柱１２には把持筒１７ａ、１７ｂ間を連結する連結部材１８が係合される複数の係合突起２５が設けられ、連結部材１８には支柱１２から突出する一対の突出部２７が形成されている。それらの突出部２７間には偏芯軸２９を有する回動体２８を回動可能に支持し、偏芯軸２９に連結された操作レバー３０を回動して連結部材１８が支柱１２に対して固定されるロック位置と、その固定が解除される非ロック位置とを取り得るように構成されている。【選択図】図１
2016083222.tif 000002
【特許請求の範囲】
【請求項１】
支柱と、該支柱を支持する脚部と、支柱の上部に支持され、被介護者を吊下するためのアーム部材とを備えた介護用リフターにおいて、前記支柱に対して相対移動し、アーム部材を支持する相対移動部材を固定するためのロック装置であって、
前記支柱には該支柱に遊嵌され上下動可能な一対の把持部材を設け、上部位置の把持部材にはアーム部材の基端部が連結され、下部位置の把持部材とアーム部材の中間部との間にはアーム部材をその基端部を中心にして回動させるための伸縮部材を架設するとともに、前記支柱には把持部材間を連結する相対移動部材としての連結部材又は把持部材が係合される複数の係合突起を設け、かつ連結部材には支柱から突出する一対の突出部を形成し、それらの突出部間には偏芯軸を有する回動体を回動可能に支持し、前記偏芯軸に連結された操作レバーを回動して連結部材が支柱に対して固定されるロック位置と、その固定が解除される非ロック位置とを取り得るように構成した介護用リフターのロック装置。
【請求項２】
前記偏芯軸は、連結部材のロック位置で回動体の中心より支柱から離れた位置に設けられている請求項１に記載の介護用リフターのロック装置。
【請求項３】
前記偏芯軸は、連結部材のロック位置で回動体の中心を通り、支柱と直交する直交線より上位置又は下位置に設けられている請求項１又は請求項２に記載の介護用リフターのロック装置。
【請求項４】
前記複数の係合突起は、連結部材の下端部が係合されるように構成されている請求項１から請求項３のいずれか一項に記載の介護用リフターのロック装置。
【請求項５】
前記係合突起は断面クランク状に形成されてその下部が支柱の側面に固定され、上方から連結部材が係入されるように構成されている請求項４に記載の介護用リフターのロック装置。
【請求項６】
前記アーム部材は支柱から前方へ延びるように支持されるとともに、支柱は上部ほど後方へ傾くように脚部に支持されている請求項１から請求項５のいずれか一項に記載の介護用リフターのロック装置。
【発明の詳細な説明】
【技術分野】
【０００１】
この発明は、例えば養護老人施設等において、歩行が困難な被介護者を持ち上げて移動させるための介護用リフターにおけるロック装置に関する。
【背景技術】
【０００２】
電動介護用リフターとしては、支柱と、その支柱を支持する脚部と、支柱の上端部に回動可能に取付けられたアーム部材と、支柱とアーム部材との間に架設され、アーム部材を回動させるための伸縮用シリンダとにより構成されたものが知られている。前記アーム部材の先端部にはフックが取付けられ、そのフックに被介護者を保持するネット部材が支持されている。前記支柱は外筒と、その内側の内筒とにより相対移動可能に構成され、支柱の高さ調節ができるようになっている。前記外筒と内筒との間には、支柱を所定の高さに仮止めするためのロック装置が設けられている。
【０００３】
この種のロック装置として、例えば特許文献１には農園芸用伸縮支柱が開示されている。この従来構成の農園芸用伸縮支柱は内管と外管とで構成され、内管端部に固定されて内管と外管とを仮止めする第１の固定継手と、内管に設けられ、外管に外嵌されるとともに、内管に突設された筒部のナット部から固定ねじが螺入されてその先端が内管に押圧される第２の固定継手とから構成されている。前記第１の固定継手の外管の内側に突設された継手軸には偏芯軸が形成されている。前記偏芯軸の外周には一部が切欠かれて厚肉部が形成されたストッパリングが設けられ、そのストッパリングの厚肉部が偏芯軸と外管との間に食い込んで外管と内管との仮止めができるように構成されている。
【先行技術文献】
【特許文献】
【０００４】
【特許文献１】特開２００３−１４３９７９号公報
【発明の概要】
【発明が解決しようとする課題】
【０００５】
前記特許文献１に記載されている従来構成の農園芸用伸縮支柱においては、内管の端部には第１の固定継手を設け、さらに内管には外管が外嵌され、筒部のナット部に螺入される固定ねじにより第２の固定継手が設けられている。加えて、第１の固定継手には偏芯軸が設けられ、その偏芯軸の外周には厚肉部を有するストッパリングが配置されている。このため、部品点数が多く、ロック装置の構成が複雑になるという欠点があった。
【０００６】
さらに、外管と内管との仮止めを行う場合には、内管を回動させて偏芯軸を回し、ストッパリングの厚肉部を偏芯軸の外周面と外管の内壁面との間に食い込ませる必要がある。このため、細い直径の内管に大きな力を働かせて内管を回動させなければならず、また偏芯軸の外周面は断面円形状であるとともに、外管の内壁面も断面円形状であることから、それらの間にストッパリングの厚肉部を食い込ませる力が弱くて滑りが生じやすく、有効な仮止めを行うことが難しいという問題があった。
【０００７】
そこで、この発明の目的とするところは、簡易な構成で、支柱に対する相対移動部材の位置決め固定を容易かつ有効に行うことができる介護用リフターのロック装置を提供することにある。
【課題を解決するための手段】
【０００８】
上記の目的を達成するために、本発明の介護用リフターのロック装置は、支柱と、該支柱を支持する脚部と、支柱の上部に支持され、被介護者を吊下するためのアーム部材とを備えた介護用リフターにおいて、前記支柱に対して相対移動し、アーム部材を支持する相対移動部材を固定するためのロック装置であって、前記支柱には該支柱に遊嵌され上下動可能な一対の把持部材を設け、上部位置の把持部材にはアーム部材の基端部が連結され、下部位置の把持部材とアーム部材の中間部との間にはアーム部材をその基端部を中心にして回動させるための伸縮部材を架設するとともに、前記支柱には把持部材間を連結する相対移動部材としての連結部材又は把持部材が係合される複数の係合突起を設け、かつ連結部材には支柱から突出する一対の突出部を形成し、それらの突出部間には偏芯軸を有する回動体を回動可能に支持し、前記偏芯軸に連結された操作レバーを回動して連結部材が支柱に対して固定されるロック位置と、その固定が解除される非ロック位置とを取り得るように構成したものである。
【０００９】
前記偏芯軸は、連結部材のロック位置で回動体の中心より支柱から離れた位置に設けられていることが好ましい。
前記偏芯軸は、連結部材のロック位置で回動体の中心を通り、支柱と直交する直交線より上位置又は下位置に設けられていることが好ましい。
【００１０】
前記複数の係合突起は、連結部材の下端部が係合されるように構成されていることが好ましい。
前記係合突起は断面クランク状に形成されてその下部が支柱の側面に固定され、上方から連結部材が係入されるように構成されていることが好ましい。
【００１１】
前記アーム部材は支柱から前方へ延びるように支持されるとともに、支柱は上部ほど後方へ傾くように脚部に支持されていることが好ましい。
【発明の効果】
【００１２】
この発明の介護用リフターのロック装置によれば、簡易な構成で、支柱に対する相対移動部材の位置決め固定を容易かつ有効に行うことができるという効果を奏する。
【図面の簡単な説明】
【００１３】
【図１】本発明の一実施形態における介護用リフターの全体を示し、アーム部材の最下降位置における介護用リフターを示す正面図。
【図２】介護用リフターを示す側面図。
【図３】介護用リフターを示す平面図。
【図４】アーム部材の最上昇位置における介護用リフターを示す正面図。
【図５】介護用リフターの脚部を折り畳んだ状態を示す正面図。
【図６】（ａ）は回動体が支柱に押し付けられているロック状態を示すロック装置の平断面図、（ｂ）は同じくロック状態を示すロック装置の部分正面図。
【図７】（ａ）は回動体が支柱に押し付けられていない非ロック状態を示すロック装置の平断面図、（ｂ）は同じく非ロック状態を示すロック装置の部分正面図。
【図８】回動体が支柱に押し付けられているロック状態で、係合突起に対する連結部材の下端部の係合状態を示す要部正面図。
【図９】係合突起に対する連結部材の非係合状態で、一対の把持部材と連結部材を持ち上げた状態を示す介護用リフターの正面図。
【発明を実施するための形態】
【００１４】
以下に、この発明の実施形態を図１〜図９に従って説明する。
図１〜図３に示すように、介護用リフター１１を構成する支柱１２は四角筒状に形成され、その下端部には平面略Ｈ型に形成された脚部１３が連結されている。この脚部１３に対し、支柱１２は斜め後方（図１の右方）に傾斜した状態で固定され、支柱１２より前方のスペースが拡大されている。支柱１２の下端部と脚部１３との間には補強リブ１４が設けられ、傾斜状態の支柱１２が補強されている。前記脚部１３は前脚部１３ａと後脚部１３ｂとが蝶番３２で連結されて構成され、図５に示すように前脚部１３ａが後脚部１３ｂに対して折り畳みできるようになっている。前脚部１３ａの後端部及び後脚部１３ｂの前端部にはそれぞれ挿通孔３３ａ、３３ｂが形成されている。
【００１５】
図１に示すように、前脚部１３ａと後脚部１３ｂを一直線に延ばした状態で両挿通孔３３ａ、３３ｂにピン３４を挿通し、前脚部１３ａと後脚部１３ｂとが固定される。前記前脚部１３ａの前端部と、後脚部１３ｂの前後にはキャスター１５が取付けられ、介護用リフター１１が床１６上を移動可能に構成されている。
【００１６】
前記支柱１２の上部には、把持部材としての上下一対の把持筒１７ａ、１７ｂが支柱１２に遊嵌された状態で相対移動部材としての連結部材１８により連結され、一体となって上下動可能に構成されている。上部位置の把持筒１７ａには、先端部が下方へ湾曲する棒状をなすアーム部材１９の基端部が回動軸２０により回動可能に接続されている。アーム部材１９の先端部には被介護者２１を吊下するためのハンガー２２等が支持されるようになっている。このハンガー２２を利用して被介護者２１を吊下げ、被介護者２１を例えばベッドから車椅子２３等に載せるように構成されている。前記脚部１３の後端部には左右一対の移動用ハンドル２６が立設され、それらの移動用ハンドル２６を把持して介護用リフター１１を移動できるようになっている。
【００１７】
前記下部位置の把持筒１７ｂとアーム部材１９の中間部の取付部１９ａとの間には、アーム部材１９の基端部を中心にして回動させるための伸縮部材としての電動シリンダ２４が架設され、電動シリンダ２４が最も収縮した図１に示す状態から電動シリンダ２４が最も伸張した図４に示す状態まで伸縮可能になっている。該電動シリンダ２４の伸縮によりアーム部材１９の先端部を上下動させて被介護者２１を持ち上げたり、降ろしたりできるようになっている。この電動シリンダ２４の下端部には、図示しない駆動源としてのバッテリーが交換可能に収納されるとともに、駆動制御装置が収納されている。
【００１８】
図８に示すように、前記支柱１２の後面には連結部材１８の下端部が係合される断面クランク状をなす複数（この実施形態では３つ）の係合突起２５が一定間隔をおいて接合されている。そして、図９に示すように、前記連結部材１８を上下動させ、その下端部を所望位置の係合突起２５に対して上方から係入させることにより、アーム部材１９の高さを調節できるようになっている。図２に示すように、前記連結部材１８には上下一対の開口窓３５が形成され、支柱１２から突出する上部位置の２つの係合突起２５が挿通される。
【００１９】
図６（ａ）に示すように、断面コの字状に形成された前記連結部材１８の中間部には、連結部材１８の直交方向に平行に延びる一対の突出部２７が連結部材１８の外面に接合されるとともに、連結部材１８より前方まで突出形成されている。それらの突出部２７間には円柱状の回動体２８が配置され、両突出部２７に形成された支持孔２７ａに対して回動体２８に設けられた偏芯軸２９が挿通され、回動体２８が回転可能に支持されている。該偏芯軸２９の両端部には一対の操作レバー３０が取付けられ、その操作レバー３０を回動操作することにより、連結部材１８が支柱１２に対して固定される図６（ａ）、（ｂ）に示すロック位置と、連結部材１８の固定が解除される図７（ａ）、（ｂ）に示す非ロック位置とを取り得るように構成されている。
【００２０】
図６（ａ）、（ｂ）に示すように、前記偏芯軸２９は、連結部材１８のロック位置で回動体２８の中心より支柱１２から離れた位置に設けられている。このため、連結部材１８のロック位置では回動体２８が支柱１２に押付けられて連結部材１８及び両把持筒１７ａ、１７ｂのがたつきが防止され、連結部材１８の非ロック位置では回動体２８が支柱１２から離れて連結部材１８及び両把持筒１７ａ、１７ｂの上下動が可能となる。
【００２１】
また、図６（ｂ）に示すように偏芯軸２９は、回動体２８のロック位置で回動体２８の中心を通り、支柱１２と直交する直交線ｘよりわずかに下方位置に配置されている。つまり、偏芯軸２９を通り、支柱１２と直交する直交線ｙは、前記直交線ｘより下方位置に設定されている。このため、操作レバー３０はロック位置では図６（ｂ）に示すように支柱１２に対する直交方向より上位置、非ロック位置では図７（ｂ）に示すように支柱１２より前方に位置する。すなわち、操作レバー３０を図６（ｂ）の位置より時計方向に回動させる操作が規制され、操作レバー３０を図６（ｂ）の位置より反時計方向に回動させる操作のみに限定される。前記介護用リフター１１のロック装置３１は、前記回動体２８、その偏芯軸２９、連結部材１８の突出部２７、その支持孔２７ａ、操作レバー３０等により構成されている。
【００２２】
次に、前述した介護用リフター１１のロック装置３１について作用を説明する。
さて、ロック装置３１によりアーム部材１９の位置決めを行う場合には、図９に示すように連結部材１８を支柱１２に対して非ロック位置にした状態で、連結部材１８を持ち上げて連結部材１８の下端部を最下部の係合突起２５の上方位置まで移動させる。続いて、連結部材１８をその位置から少し下動させ、連結部材１８の下端部を係合突起２５に係入する。この状態では、図７（ａ）、（ｂ）に示すように、ロック装置３１の回動体２８は支柱１２から離間した位置にあり、操作レバー３０は支柱１２より前方で斜め上方へ延びている。
【００２３】
次いで、図７（ｂ）に示す状態から、操作レバー３０を時計方向に回動させると、回動体２８はその偏芯軸２９を中心にして操作レバー３０と同じ時計方向に回動して図６（ｂ）の状態に到る。このとき、回動体２８は図７（ａ）の状態から偏芯回転して次第に支柱１２に近づき、操作レバー３０をさらに時計方向へと回動させると回動体２８は図６（ａ）に示すように支柱１２に接触して押付けられる。従って、連結部材１８及び一対の把持筒１７ａ、１７ｂは支柱１２に対して固定され、がたつきが防止される。
【００２４】
その状態で、図１及び図４に示すように、電動シリンダ２４を伸縮動作させることにより、アーム部材１９の先端部の下方に支持された被介護者２１を持ち上げたり、下したりすることができる。
【００２５】
その後、アーム部材１９の高さを変更したい場合には、操作レバー３０を図１の反時計方向に回動させると、回動体２８も同じく反時計方向に回動する。このため、回動体２８は支柱１２から離間し、連結部材１８及び把持筒１７ａ、１７ｂの固定が解除される。従って、図９に示すように、連結部材１８を持って最下部の係合突起２５から連結部材１８の下端部を脱出させた後、他の位置の係合突起２５に係合させて連結部材１８の上下位置を変更することができる。
【００２６】
また、図５に示すように、ロック装置３１の不使用時には、アーム部材１９の回動軸２０を抜くとともに、脚部１３のピン３４を抜き、前脚部１３ａを後脚部１３ｂに対して折り畳むことにより、ロック装置３１をコンパクトにすることができる。
【００２７】
よって、この実施形態によれば、以下のような効果を得ることができる。
（１）この実施形態のロック装置３１において、支柱１２には把持筒１７ｂが係合される複数の係合突起２５が設けられ、把持筒１７ａ、１７ｂ間を連結する連結部材１８には一対の突出部２７が形成され、それらの突出部２７間には偏芯軸２９を有する回動体２８が回動可能に支持されている。そして、偏芯軸２９に連結された操作レバー３０を回動して連結部材１８が支柱１２に対して固定されるロック位置と、その固定が解除される非ロック位置とを取り得るように構成されている。
【００２８】
このため、操作レバー３０を回動操作することにより連結部材１８を支柱１２に対して迅速かつ強く固定できるとともに、操作レバー３０を逆方向へ回動操作することにより連結部材１８の固定を簡単に解除することができる。
【００２９】
従って、この実施形態のロック装置３１によれば、簡易な構成で、連結部材１８の位置決め固定を容易かつ強固に行うことができる。
（２）前記偏芯軸２９は、連結部材１８のロック位置で回動体２８の中心より支柱１２から離れた位置に設けられている。このため、連結部材１８のロック位置から回動体２８を回動させることにより、回動体２８を支柱１２から離間させることができ、連結部材１８を簡単に上下動させることができる。
【００３０】
（３）前記偏芯軸２９は、連結部材１８のロック位置で回動体２８の中心を通り、支柱１２と直交する直交線ｘより下位置に設けられている。そのため、操作レバー３０を横位置より下方へ回動させる操作が規制され、操作レバー３０を横位置より上方位置まで回動させる操作のみに限定することができ、操作の容易性を図ることができる。
【００３１】
（４）前記複数の係合突起２５は、連結部材１８の下端部が係合されるように構成されている。従って、係合突起２５に対する連結部材１８の係合を低い位置で速やかに行うことができる。
【００３２】
（５）前記係合突起２５は断面クランク状に形成されてその下部が支柱１２の側面に固定され、上方から連結部材１８が係入されるように構成されている。このため、連結部材１８の下端部を所望とする係合突起２５の上方に位置させ、その位置から下へ落とすように操作することによって、連結部材１８を係合突起２５に容易に係入させることができる。
【００３３】
（６）前記アーム部材１９は支柱１２から前方へ延びるように支持されるとともに、支柱１２は上部ほど後方へ傾くように脚部１３に支持されている。従って、アーム部材１９を安定した状態で支持し、回動させることができるとともに、支柱１２の前方に十分なスペースを確保することができる。
【００３４】
なお、前記実施形態は、次のように変更して具体化することも可能である。
・図６（ｂ）の二点鎖線に示すように、前記回動体２８には、該回動体２８の回動を容易にするための切欠き３６を形成してもよい。
【００３５】
・前記係合突起２５に対して連結部材１８の下端部を係合させるのではなく、下部位置の把持筒１７ｂを係合させるように構成してもよい。
・前記支柱１２に設けられた複数の係合突起２５の数や係合突起２５間の間隔等を適宜変更してもよい。
【００３６】
・前記偏芯軸２９は、連結部材１８のロック位置で回動体２８の中心を通り、支柱１２と直交する直交線ｘより上位置に配置してもよい。この場合には、操作レバー３０を横位置より上方へ回動させる操作が規制され、操作レバー３０を横位置より下方位置まで回動させる操作のみに限定することができる。
【符号の説明】
【００３７】
１１…介護用リフター、１２…支柱、１３…脚部、１７ａ、１７ｂ…把持部材としての把持筒、１８…連結部材、１９…アーム部材、２１…被介護者、２４…伸縮部材としての電動シリンダ、２５…係合突起、２７…突出部、２８…回動体、２９…偏芯軸、３０…操作レバー、３１…ロック装置、ｘ、ｙ…直交線。
【図１】
2016083222.tif 000003
【図２】
2016083222.tif 000004
【図３】
2016083222.tif 000005
【図４】
2016083222.tif 000006
【図５】
2016083222.tif 000007
【図６】
2016083222.tif 000008
【図７】
2016083222.tif 000009
【図８】
2016083222.tif 000010
【図９】
2016083222.tif 000011